(57)【特許請求の範囲】
【請求項１】
テレビ放送及び、前記テレビ放送にリンク付けされたデータ放送及び、前記テレビ放送に先だって放送される前記テレビ放送とリンク付けされ、コンテンツを識別するためのコンテンツ識別子を含む第１蓄積情報及び、前記コンテンツ識別子で特定されるコンテンツについて出力可能な装置を識別する第１情報処理装置識別子とインターネットを介して所定の情報を受信することを特定する情報取得方法識別子を含む制御情報と、を関連させて放送すると共に、
前記第１蓄積情報に対応するコンテンツと同じコンテンツであり前記情報取得方法識別子で送信方法が特定された第２蓄積情報をインターネットを介して送信する、情報元装置からの前記放送及び前記第２蓄積情報を受信し、装置自身を識別する第２情報処理装置識別子を予め格納する映像受信処理装置であって、
前記放送から前記テレビ放送、データ放送、制御情報を受信するとともに前記第１蓄積情報を蓄積することなく無視する受信部と、
前記受信部によって受信された放送のうち、前記制御情報を前記テレビ放送及びデータ放送から分離する分離部と、
前記分離部で分離された制御情報から前記情報取得方法識別子及び第１情報処理装置識別子を読み出す読み出し部と、
前記読み出し部によって読み出された前記第１情報処理装置識別子とあらかじめ格納されている前記第２情報処理装置識別子とを比較する比較処理部と、
前記第１情報処理装置識別子と前記第２情報処理装置識別子とが一致する場合は、第１情報処理装置識別子に含まれる前記コンテンツ識別子と同じコンテンツに対応する第２蓄積情報を前記情報取得方法識別子に基づいて前記情報元装置に前記インターネットを介して要求し、前記情報元装置から送信された前記第２蓄積情報を受信する情報受付部と、
前記情報受付部により受け付けられた第２蓄積情報及び前記分離部で分離されたテレビ放送とデータ放送のうち出力対象となる情報を出力する出力部と、を備えることを特徴とする、映像受信処理装置。
【請求項２】
前記第２蓄積情報は、前記第１蓄積情報よりも圧縮率が高いことを特徴とする、請求項１に記載の映像受信処理装置。
【請求項３】
前記読み出し部により読み出された前記第１情報処理装置識別子を格納する第１情報処理装置識別子記録部をさらに備え、
前記比較処理部は、前記第１情報処理装置識別子記録部に格納された前記第１情報処理装置識別子と第２情報処理装置識別子とを比較することを特徴とする、請求項１又は２に記載の映像受信処理装置。
【請求項４】
さらに、利用者からの動作を受けて、どのテレビ放送を出力するかを特定する情報を含むトリガー信号を発行すると共に、出力対象となる前記テレビ放送とリンクされた蓄積情報について前記比較処理部に前記第１情報処理装置識別子記録部に格納される前記第１情報処理装置識別子と第２情報処理装置識別子とを比較を開始させる操作部を有し、
前記出力部は前記操作部により特定されたテレビ放送に関する前記第２蓄積情報を出力することを特徴とする、請求項３に記載の映像受信処理装置。
【請求項５】
前記情報受付部が受け付ける情報は、ＢＭＬで記載された情報とＭＰＥＧ４によって圧縮された動画情報と含むことを特徴とする、請求項１から３のいずれか１つに記載の映像受信処理装置。
【発明の詳細な説明】
【０００１】
【発明の属する技術分野】
本発明は、映像受信処理装置に関し、特にデジタル放送に好適な映像受信処理装置に関する。
【０００２】
【従来の技術】
例えば図１に示すように、衛星２を介して行われる衛星デジタル放送を、ハードディスク４付きの情報処理装置３で受信し、放送と通信の融合を目指すことが提案されている。
【０００３】
すなわち、放送局１からは、
（１）通常のテレビ放送、
（２）「（１）のテレビ放送」に関連するデータ放送、
（３）「（２）のデータ放送」とリンク付けされた蓄積放送、
（４）「（３）の蓄積放送」とリンク付けされたＷＥＢサイト（ＵＲＬ）、
が放送される。
【０００４】
ここで、「（２）のデータ放送」は「（１）のテレビ放送」と同じチャンネル８ａで同時に送られて来る。別のチャンネル８ｂにより、「（３）の蓄積放送」及び「（４）のＷＥＢサイト（ＵＲＬ）」が前もって放送され、情報処理装置３のハードディスク４に自動的に蓄積される。
【０００５】
情報処理装置３は、「（１）のテレビ放送」や「（２）のデータ放送」を受信してモニタ５に出力する。また、「（３）の蓄積放送」や、「（４）のＷＥＢサイト（ＵＲＬ）」は、必要に応じてハードディスク４から読み出し、「（３）の蓄積放送」の情報である蓄積情報をモニタ５に出力したり、「（４）のＷＥＢサイト（ＵＲＬ）」で指定されたＷＥＢサイト７からインターネット６を介して取得した「（４）’のサイト情報」をモニタ５に出力する。
【０００６】
「（２）のデータ放送」とリンク付けされた「（３）の蓄積放送」を、前もって受信し、情報処理装置３のハードディスク４に蓄積しておくことで、インタラクティブな情報の提示や、プッシュ型サービスの提供などが可能となる。
【０００７】
【発明が解決しようとする課題】
しかし、「（３）の蓄積放送」及び「（４）のＷＥＢサイト（ＵＲＬ）」を自動的に情報処理装置３のハードディスク４に蓄積する場合、以下のような問題がある。
【０００８】
すなわち、「（１）のテレビ放送」と「（３）の蓄積放送」とをリンク付けするためには、「（３）の蓄積放送」や「（４）のＷＥＢサイト（ＵＲＬ）」をハードディスク４に蓄積する際のアドレス等を遠隔制御するための制御信号を放送に含めて、放送局１から放送する必要がある。そのため、放送局１の設備コストが増大し、ひいてはユーザーの負担が大きくなる。また、ハードディスク４のメンテナンス費用も発生する。
【０００９】
そのため、ハードディスク等の情報格納部を備えなくても、情報処理装置により蓄積放送を利用できるようにすることが望まれる。
【００１０】
したがって、本発明が解決しようとする技術的課題は、蓄積放送を予め蓄積することなく利用することができるようにする映像受信処理装置を提供することである。
【００１１】
【課題を解決するための手段】
本発明は、上記技術的課題を解決するために、以下の構成の映像受信処理装置を提供する。
【００１２】
映像受信処理装置は、テレビ放送及び、前記テレビ放送にリンク付けされたデータ放送及び、前記テレビ放送に先だって放送される前記テレビ放送とリンク付けされ、コンテンツを識別するためのコンテンツ識別子を含む第１蓄積情報及び、前記コンテンツ識別子で特定されるコンテンツについて出力可能な装置を識別する第１情報処理装置識別子とインターネットを介して所定の情報を受信することを特定する情報取得方法識別子を含む制御情報と、を関連させて放送すると共に、
前記第１蓄積情報に対応するコンテンツと同じコンテンツであり前記情報取得方法識別子で送信方法が特定された第２蓄積情報をインターネットを介して送信する、情報元装置からの前記放送及び前記第２蓄積情報を受信し、装置自身を識別する第２情報処理装置識別子を予め格納する映像受信処理装置であって、
前記放送から前記テレビ放送、データ放送、制御情報を受信するとともに前記第１蓄積情報を蓄積することなく無視する受信部と、
前記受信部によって受信された放送のうち、前記制御情報を前記テレビ放送及びデータ放送から分離する分離部と、
前記分離部で分離された制御情報から前記情報取得方法識別子及び第１情報処理装置識別子を読み出す読み出し部と、
前記読み出し部によって読み出された前記第１情報処理装置識別子とあらかじめ格納されている前記第２情報処理装置識別子とを比較する比較処理部と、
前記第１情報処理装置識別子と前記第２情報処理装置識別子とが一致する場合は、第１情報処理装置識別子に含まれる前記コンテンツ識別子と同じコンテンツに対応する第２蓄積情報を前記情報取得方法識別子に基づいて前記情報元装置に前記インターネットを介して要求し、前記情報元装置から送信された前記第２蓄積情報を受信する情報受付部と、
前記情報受付部により受け付けられた第２蓄積情報及び前記分離部で分離されたテレビ放送とデータ放送のうち出力対象となる情報を出力する出力部と、を備えることを特徴とする。
【００１３】
上記構成において、第１情報処理装置識別子と第２情報処理装置識別子とが一致する場合に、比較処理部により判断された取得方法で、受付部は情報元装置から第２蓄積情報を受け付ける。
【００１４】
上記構成によれば、情報元装置が蓄積情報と同じ内容の情報（圧縮されていても、記録形式が異なっていてもよい）を提供し、それを映像受信処理装置が受け付けるようにすることができる。
【００１５】
したがって、映像受信処理装置は、蓄積情報を予め蓄積することなく利用することができる。
【００１６】
上記構成において、前記第２蓄積情報は、前記蓄積情報よりも圧縮率が高い情報であることが好ましい。
【００１７】
また、上記構成において、映像受信処理装置は、前記読み出し部により読み出された前記第１情報処理装置識別子を格納する第１情報処理装置識別子記録部をさらに備え、
前記比較処理部は、前記第１情報処理装置識別子記録部に格納される前記第１情報処理装置識別子と第２情報処理装置識別子とを比較する。
【００１８】
上記構成において、映像受信処理装置は、さらに、利用者からの動作を受けて、どのテレビ放送を出力するかを特定する情報を含むトリガー信号を発行すると共に、出力対象となる前記テレビ放送とリンクされた蓄積情報について前記比較処理部に前記第１情報処理装置識別子記録部に格納される前記第１情報処理装置識別子と第２情報処理装置識別子とを比較を開始させる操作部を有し、
前記出力部は前記操作部により特定されたテレビ放送に関する前記第２蓄積情報を出力する。
【００１９】
好ましくは、前記情報受付部が受け付ける情報は、ＢＭＬで記載された情報とＭＰＥＧ４によって圧縮された動画情報と含む。
【００２０】
上記構成によれば、ＢＭＬにより、画面の共通部分の構成を決め、画面内の所定位置に、ＭＰＥＧ４によって圧縮された動画情報を伸長再生した動画を嵌め込むようにすることができる。
【００２１】
なお、ＢＭＬは、次世代ＨＴＭＬであるＸＭＬ（Ｅｘｔｅｎｓｉｂｌｅ Ｍａｋｅｕｐ Ｌａｎｇｕａｇｅ）を元に放送用の仕様を付加・修正した、放送画面を作成するときに使われるページ記述言語である。
【００２２】
【発明の実施の形態】
以下、本発明の実施の形態として一実施例を図２〜図７に基づいて説明する。
【００２３】
図２は、情報処理装置２０を用いるシステムの構成図である。放送局１０の放送装置１１からは、衛星２を介して、（１） 通常のテレビ放送、（２）「（１）のテレビ放送」に関連するデータ放送、（３）「（２）のデータ放送」とリンク付けされた蓄積放送、（４）「（３）の蓄積放送」とリンク付けされたＷＥＢサイト（ＵＲＬ）、に加え、（５）制御情報、が放送される。
【００２４】
ここで、「（５）の制御情報」は、「（１）のテレビ放送」及び「（２）のデータ放送」と同じチャンネル８ａで同時に送られて来る。別のチャンネル８ｂにより、「（３）の蓄積放送」及び「（４）のＷＥＢサイト（ＵＲＬ）」が前もって放送され、ハードディスク等の情報格納部を備えている情報処理装置に蓄積される。
【００２５】
一つのチャンネル８ａでは、図４に模式的に示したように、「（１）のテレビ放送」と、「（２）データ放送」及び「（５）の制御情報」とが、帯域を分けて放送される。「（１）のテレビ放送」は、画面の共通構成部分（映像を嵌め込む枠の形状、大きさ、位置等）を制御する画面構成情報６０と、映像のデータ６２と、音声のデータ６４とを含む。例えば、画面構成情報６０はＢＭＬで記述され、映像のデータ６２及び音声のデータ６４はＭＰＥＧ２で圧縮される。
【００２６】
別のチャンネル８ｂでは、図５に模式的に示したように、「（３）の蓄積放送」と、「（４）のＷＥＢサイト（ＵＲＬ）」とが、帯域を分けて放送される。「（３）の蓄積放送」は、画面の共通構成部分を制御する画面構成情報７０と、映像のデータ７２と、音声のデータ７４とを含む。例えば、画面構成情報７０はＢＭＬで記述され、映像のデータ７２及び音声のデータ７４はＭＰＥＧ２で圧縮される。
【００２７】
「（５）の制御情報」は、情報処理装置の種類毎に所定の方法で情報を取得するように制御するための記述、すなわち、情報処理装置の種類を識別するための第１情報処理装置識別子と、情報の取得方法を識別するための情報取得方法識別子とを対にしたＢＭＬによる記述を含む。情報取得方法識別子は、「（３）の蓄積放送」に対応するコンテンツを識別するためのコンテンツＩＤ（すなわち、情報識別子）を含む。
【００２８】
これにより、情報処理装置がハードディスク等の情報格納部を備えている場合には、必要に応じて、例えば「（２）のデータ放送」のリンクを辿っていく場合に、情報格納部に蓄積された情報（「（３）の蓄積放送」や「（４）のＷＥＢサイト（ＵＲＬ）」）を情報格納部から読み出す。
【００２９】
一方、ハードディスク等の情報格納部を備えていない本実施例の情報処理装置２０の場合には、「（３）の蓄積放送」及び「（４）のＷＥＢサイト（ＵＲＬ）」は無視され、蓄積されないので、代わりに、図２に示したように、情報処理装置２０は、必要に応じて、適宜、インターネット６を介して、放送局１０の情報元装置１２（例えば、サーバー）にアクセスし、情報（「（３）の蓄積放送」の蓄積情報を圧縮した「（３）’の圧縮情報」や「（４）のＷＥＢサイト（ＵＲＬ）」）を取得する。
【００３０】
すなわち、情報処理装置２０は、インターネットを介して、図６に模式的に示したように、画面の共通構成部分を制御する画面構成情報６０、映像のデータ６３、及び音声のデータ６５を含む「（３）’の圧縮情報」と、「（４）のＷＥＢサイト（ＵＲＬ）」とを取得する。映像のデータ６３及び音声のデータ６５は、例えば、ＭＰＥＧ２で圧縮した「（３）の蓄積放送」の映像のデータ６２及び音声データ６４の圧縮前のデータを、ＭＰＥＧ４で圧縮したデータであり、圧縮率が高く、インターネット６での送信速度が１Ｍｂｐｓ程度であっても、ストリーミング再生が可能である。「（３）の蓄積放送」の蓄積情報と「（３）’の圧縮情報」とは、同じコンテンツで圧縮率が違うだけであるので、別々のコンテンツを制作する必要がなく、コンテンツ制作費が安くなる。
【００３１】
なお、「（３）’の圧縮情報」には、他のストリーミング技術、例えば「ＲｅａｌＰｌａｙｅｒ」、マイクロソフトの「Ｍｉｃｒｏｓｏｆｔ Ｗｉｎｄｏｗｓ Ｍｅｄｉａ Ｔｅｃｈｎｏｌｏｇｉｅｓ（ＷＭＴ）」を適用してもよい。
【００３２】
図２に示すように、モニタ５には、リモコン２２の操作に応じて、通常のテレビ放送（１）やそれに関連するデータ放送（２）、インターネットを介して取得した蓄積放送（３）’、蓄積放送とリンク付けされたＷＥＢサイト７からのサイト情報（４）’が表示される。
【００３３】
図３は、情報処理装置２０の構成を示すブロック図である。制御モジュール３２には、受信モジュール３０、ＲＡＭ３３、ＲＯＭ３４、操作モジュール３５、インターネット接続モジュール３６、及び出力モジュール３８が接続されている。
【００３４】
制御モジュール３２は、情報処理装置２０の全体の制御を統括し、ＣＰＵを含む。制御モジュール３２は、ＲＯＭ３４に格納されたプログラムに従って動作する。制御モジュール３２は、受信モジュール３０に接続された分離部４０と、分離部４０及びＲＡＭ３３に接続された受付部４２と、ＲＡＭ３３，ＲＯＭ３４、操作モジュール３５、及びインターネット接続モジュール３６に接続された判断部４４と、分離部４０、インターネット接続モジュール３６、及び出力モジュール３８に接続された画面表示制御部４６とを含む。
【００３５】
受信モジュール３０は、パケット（断続信号）で伝送される衛星デジタル放送を受信し、デジタル信号（連続信号）に変換する。ＲＡＭ３３には、後述するようにデータが一時的に格納される第１情報処理装置識別子格納部である。ＲＯＭ３４には、情報処理装置２０のプログラムが格納されている。また、情報処理装置２０の固有のデータ（情報処理装置２０の種類を識別するための第２情報処理装置識別子）が格納され、第２情報処理装置識別子格納部としても機能する。操作モジュール３５は、リモコン２２と送受信を行うためのインターフェースである。インターネット接続モジュール３６は、インターネット６を介して情報元装置１２やＷＥＢサイト７から、情報（３）’，（４），（４）’を取得する。出力モジュール３８は、圧縮データを伸長再生し、モニタ５に出力するための映像信号や音声信号を生成する。
【００３６】
次に、情報処理装置２０の動作について説明する。
【００３７】
受信モジュール３０は、衛星デジタル放送を受信する。情報処理装置２０は情報格納部を備えていないので、チャンネル８ａのみを受信し、「（１）のテレビ放送」、「（２）のデータ放送」、及び「（５）の制御情報」のパケットからデジタル信号を生成する。
【００３８】
分離部４０は、「（１）のテレビ放送」及び「（２）のデータ放送」のデジタル信号を画面表示制御部４６に送出し、「（５）の制御情報」のデジタル信号を受付部４２に送出する。つまり、分離部４０は、第１情報処理装置識別子受付部として、第１情報処理装置識別子を含む「（５）の制御情報」のデジタル信号を受け付ける。
【００３９】
「（１）のテレビ放送」及び「（２）のデータ放送」のデジタル信号は、画面表示制御部４６で選択されると、出力モジュール３８に送出され、出力モジュール３８で伸長再生されて、モニタ５に出力される。これにより、モニタ５には、「（１）のテレビ放送」や「（２）のデータ放送」が表示される。
【００４０】
受付部４２は、「（５）の制御情報」のデジタル信号に含まれる、対になった第１情報処理装置識別子と情報取得方法識別子とを読み出し、それらをＲＡＭ３３に格納する。
【００４１】
操作モジュール３５は、リモコン２２からの所定の操作信号を受信すると、トリガー信号を判断部４４に送出する。トリガー信号を受信した判断部４４は、ＲＡＭ３３に格納されている第１情報処理装置識別子と、ＲＯＭ３４に格納されている第２情報処理装置識別子とを読み出し、両者を比較する。両者が一致する場合又は重複する場合、判断部４４は、その第１情報処理装置識別子と対になった情報取得方法識別子をＲＡＭ３３から読み出し、その情報取得方法識別子に含まれるコンテンツＩＤをインターネット接続モジュール３６に送出する。
【００４２】
インターネット接続モジュール３６は、インターネット６を介して情報元装置１２に接続し、判断部４４から受け付けたコンテンツＩＤに対応する「（３）の蓄積放送」の蓄積情報（コンテンツ）を圧縮した「（３）’の圧縮情報」及び「（４）のＷＥＢサイト（ＵＲＬ）」を、情報受付部として情報元装置１２から取得する。このとき、例えば「（１）のテレビ放送」と同期して情報元装置１２から情報が送出され、それをインターネット接続モジュール３６が受け付けるようにしても、あるいは、インターネット接続モジュール３６が要求情報出力部として要求情報を出力し、その要求情報の受信に応じて情報元装置１２が情報を提供するようにしてもよい。
【００４３】
インターネット接続モジュール３６は、取得した「（３）’の圧縮情報」を画面表示制御部４６に送出する。また、取得した「（４）のＷＥＢサイト（ＵＲＬ）」は、一時的に記録しておき、必要に応じて、適宜、「（４）のＷＥＢサイト（ＵＲＬ）」で指定されたＷＥＢサイト７から「（４）’のサイト情報」を取得し、画面表示制御部４６に送出する。
【００４４】
画面表示制御部４６は、「（１）のテレビ放送」及び「（２）のデータ放送」のデジタル信号に代えて又はそれらに加えて、「（３）’の圧縮情報」又は「（４）’のサイト情報」のデジタル信号を出力モジュール３８に送出する。出力モジュール３８は、圧縮されたデータを伸長再生し、モニタ５に出力するための映像信号を生成し、情報出力部として、それをモニタ５に送出する。これにより、モニタ５には、蓄積放送（３）’、又は、それに関連するＷＥＢサイトの情報（４）’が表示される。なお、同様に音声信号も生成され出力される。
【００４５】
以上説明したように、情報処理装置２０は、蓄積放送を予め蓄積することなく利用することができる。
【００４６】
なお、本発明は上記実施例に限定されるものではなく、その他種々の態様で実施可能である。
【００４７】
例えば、本発明を、地上波デジタル放送やＣＡＴＶなどに適用することも可能である。
【００４８】
また、図３において、受信モジュール３０の代わりに、「（１）の通常のテレビ放送」、「（２）のデータ放送」、及び「（５）の制御情報」を記録した記録媒体を読み出す記録媒体読み出しモジュールを備えるようにしてもよい。
【００４９】
また、情報元装置１２は、放送局１０の外部に設けてもよい。
【００５０】
また、情報元装置１２からの情報は、ストリーミング再生に限らず、ダウンロード再生を行うようにしてもよい。
【図面の簡単な説明】
【図１】  従来提案されている情報処理装置を用いたシステムの構成図
【図２】  本発明の一実施例の情報処理装置を用いたシステムの構成図
【図３】  図２の情報処理装置のブロック図
【図４】  テレビ放送を含むチャンネルの模式図
【図５】  蓄積放送を含むチャンネルの模式図
【図６】  情報元装置からの情報の模式図
【符号の説明】
４  ハードディスク（情報格納部）
６  インターネット
１０  放送局
１１  放送装置
１２  情報元装置
２０  情報処理装置
３０  受信モジュール（第１情報処理装置識別子受信部）
３２  制御モジュール
３３  ＲＡＭ（第１情報処理装置識別子格納部）
３４  ＲＯＭ（第２情報処理装置識別子格納部）
３５  操作モジュール
３６  インターネット接続モジュール（情報受付部、要求情報出力部）
３８  出力モジュール
４０  分離部（第１情報処理装置識別子受付部）
４２  受付部（第１情報処理装置識別子記録部）
４４  判断部
４６  画面表示制御部
【図１】
0004028975.tif 000002
【図２】
0004028975.tif 000003
【図３】
0004028975.tif 000004
【図４】
0004028975.tif 000005
【図５】
0004028975.tif 000006
【図６】
0004028975.tif 000007